【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
２以上のレンズ群を有する望遠レンズにおいて、２つのレンズ群の光軸方向の絶対位置及び相対位置の双方を変化させる、独立して操作可能な２つの合焦機構を設けたことを特徴とする望遠レンズの合焦装置。
【請求項２】
前記望遠レンズは、物体側から順に、第１レンズ群と第２レンズ群からなっており、上記２つの合焦機構は、この第１レンズ群と第２レンズ群のそれぞれを独立して光軸方向に移動させるレンズ移動機構である請求項１記載の望遠レンズの合焦装置。
【請求項３】
次の条件式（１）を満足する請求項２記載の望遠レンズの合焦装置。
(１)０．４＜｜ＴI／ＴII｜＜２．５
但し、
ＴI；無限遠からある有限撮影距離まで第１レンズ群を単独で光軸方向に移動させた場合に合焦に要する第１レンズ群の移動量、
ＴII；無限遠から前記有限撮影距離まで第２レンズ群を単独で光軸方向に移動させた場合に合焦に要する第２レンズ群の移動量。
【請求項４】
次の条件式（２）を満足する請求項２または３に記載の望遠レンズの合焦装置。
(２)０．１５＜ＤI-II ／ｆ＜０．７
但し、
ＤI-II；第１レンズ群と第２レンズ群との無限遠物点に合焦時の間隔、
ｆ；全系の焦点距離。
【請求項５】
前記第１レンズ群と第２レンズ群は、それぞれ正レンズと負レンズの組合せより構成され、次の条件式（３）、（４）を満足する請求項２ないし４のいずれか１項記載の望遠レンズの合焦装置。
(３)｜ＳＣI ／ＳＣ｜＜０．８
(４)２０＜νIp−νIn
但し、
ＳＣI；各レンズの焦点距離とアッベ数の積の逆数（１／（ｆi*νi））の第１レンズ群中での総和、
ＳＣ；各レンズの焦点距離とアッベ数の積の逆数（１／（ｆi*νi））の全系での総和、
νIp；第１レンズ群の正レンズのアッベ数、
νIn；第１レンズ群の負レンズのアッベ数。
【請求項６】
前記２つの合焦機構の一方は、手動操作によってレンズを光軸方向に移動させる手動合焦機構であり、他方は電気的手段によってレンズを光軸方向に移動させる電動合焦機構である請求項１ないし５のいずれか１項に記載の望遠レンズの合焦装置。
【請求項７】
前記手動合焦機構は前記第１レンズ群に適用され、前記電動合焦機構は前記第２レンズ群に適用されている請求項６に記載の望遠レンズの合焦装置。
【請求項８】
前記電動合焦機構は前記第１レンズ群に適用され、前記手動合焦機構は前記第２レンズ群に適用されている請求項６に記載の望遠レンズの合焦装置。
【請求項９】
前記望遠レンズは、物体側から順に、第１レンズ群と第２レンズ群からなっており、前記２つの合焦機構は、全系を光軸方向に移動させる全系移動機構と、第１レンズ群を光軸方向に移動させる機構である請求項１記載の望遠レンズの合焦装置。
【請求項１０】
次の条件式（５）を満足する請求項９記載の望遠レンズの合焦装置。
(５)０．２＜｜ＴA ／ＴI ｜＜１．５
但し、
ＴA；無限遠からある有限撮影距離までの合焦に要する全系の移動量、
ＴI；無限遠から前記有限撮影距離まで第１レンズ群を単独で光軸方向に移動させた場合に合焦に要する第１レンズ群の移動量。
【請求項１１】
次の条件式（６）を満足する請求項９または１０に記載の望遠レンズの合焦装置。
(６)０．１５＜ＤI-II ／ｆ＜０．７
但し、
ＤI-II；第１レンズ群と第２レンズ群との無限遠物点に合焦時の間隔、
ｆ；全系の焦点距離。
【請求項１２】
前記第１レンズ群と第２レンズ群は、それぞれ正レンズと負レンズの組合せより構成され、次の条件式（７）、（８）を満足する請求項９ないし１１のいずれか１項に記載の望遠レンズの合焦装置。
(７)｜ＳＣI ／ＳＣ｜＜０．８
(８)２０＜νIp−νIn
但し、
ＳＣI；各レンズの焦点距離とアッベ数の積の逆数（１／（ｆi*νi））の第１レンズ群中での総和、
ＳＣ；各レンズの焦点距離とアッベ数の積の逆数（１／（ｆi*νi））の全系での総和、
νIp；第１レンズ群の正レンズのアッベ数、
νIn；第１レンズ群の負レンズのアッベ数。
【請求項１３】
前記２つの合焦機構の一方は、手動操作によってレンズを光軸方向に移動させる手動合焦機構であり、他方は電気的手段によってレンズを光軸方向に移動させる電動合焦機構である請求項９ないし１２のいずれか１項に記載の望遠レンズの合焦装置。
【請求項１４】
前記手動合焦機構は前記全系に適用され、前記電動合焦機構は前記第１レンズ群に適用されている請求項１３に記載の望遠レンズの合焦装置。
【請求項１５】
前記電動合焦機構は前記全系に適用され、前記手動合焦機構は前記第１レンズ群に適用されている請求項１３に記載の望遠レンズの合焦装置。
【請求項１６】
前記望遠レンズは、物体側から順に、第１レンズ群と第２レンズ群からなっており、前記２つの合焦機構は、全系を光軸方向に移動させる全系移動機構と、第２レンズ群を光軸方向に移動させる機構である請求項１記載の望遠レンズの合焦装置。
【請求項１７】
次の条件式（９）を満足する請求項１６記載の望遠レンズの合焦装置。
(９)０．２＜｜ＴA ／ＴII ｜＜１．５
但し、
ＴA；無限遠からある有限撮影距離までの合焦に要する全系の移動量、
ＴII；無限遠から前記有限撮影距離まで第２レンズ群を単独で光軸方向に移動させた場合に合焦に要する第２レンズ群の移動量。
【請求項１８】
次の条件式（１０）を満足する請求項１６または１７に記載の望遠レンズの合焦装置。
(１０)０．１５＜ＤI-II ／ｆ＜０．７
但し、
ＤI-II；第１レンズ群と第２レンズ群との無限遠物点に合焦時の間隔、
ｆ；全系の焦点距離。
【請求項１９】
前記第１レンズ群と第２レンズ群は、それぞれ正レンズと負レンズの組合せより構成され、次の条件式（１１）、（１２）を満足する請求項１６ないし１８のいずれか１項に記載の望遠レンズの合焦装置。
(１１)｜ＳＣI ／ＳＣ｜＜０．８
(１２)２０＜νIp−νIn
但し、
ＳＣI；各レンズの焦点距離とアッベ数の積の逆数（１／（ｆi*νi））の第１レンズ群中での総和、
ＳＣ；各レンズの焦点距離とアッベ数の積の逆数（１／（ｆi*νi））の全系での総和、
νIp；第１レンズ群の正レンズのアッベ数、
νIn；第１レンズ群の負レンズのアッベ数。
【請求項２０】
前記２つの合焦機構の一方は、手動操作によってレンズを光軸方向に移動させる手動合焦機構であり、他方は電気的手段によってレンズを光軸方向に移動させる電動合焦機構である請求項１６ないし１９のいずれか１項に記載の望遠レンズの合焦装置。
【請求項２１】
前記手動合焦機構は前記全系に適用され、前記電動合焦機構は前記第２レンズ群に適用されている請求項２０に記載の望遠レンズの合焦装置。
【請求項２２】
前記電動合焦機構は前記全系に適用され、前記手動合焦機構は前記第２レンズ群に適用されている請求項２０に記載の望遠レンズの合焦装置。
【請求項２３】
前記望遠レンズは、物体側から順に、正の第１レンズ群、負の第２レンズ群及び正の第３レンズ群からなっており、前記２つの合焦機構は、第１レンズ群を光軸方向に移動させる機構と、第３レンズ群を光軸方向に移動させる機構である請求項１記載の望遠レンズの合焦装置。
【請求項２４】
前記望遠レンズは、物体側から順に、正の第１レンズ群、負の第２レンズ群及び正の第３レンズ群からなっており、前記２つの合焦機構は、第１レンズ群を光軸方向に移動させる機構と、第２レンズ群を光軸方向に移動させる機構である請求項１記載の望遠レンズの合焦装置。
【請求項２５】
前記望遠レンズは、物体側から順に、正の第１レンズ群と正の第２レンズ群からなっており、次の条件式（１３）を満足する請求項９記載の望遠レンズの合焦装置。
(１３)０．２＜｜ＴA ／ＴI ｜＜０．８
但し、
ＴA；無限遠からある有限撮影距離までの合焦に要する全系の移動量、
ＴI；無限遠からある有限撮影距離まで第１レンズ群を単独で光軸方向に移動させた場合に合焦に要する第１レンズ群の移動量。
【請求項２６】
前記望遠レンズは、物体側から順に、正の第１レンズ群と正の第２レンズ群からなっており、次の条件式（１４）を満足する請求項１６記載の望遠レンズの合焦装置。
(１４)０．２＜｜ＴA ／ＴII ｜＜０．８
但し、
ＴA；無限遠からある有限撮影距離までの合焦に要する全系の移動量、
ＴII；無限遠から前記有限撮影距離まで第２レンズ群を単独で光軸方向に移動させた場合に合焦に要する第２レンズ群の移動量。
【手続補正２】
【補正対象書類名】明細書
【補正対象項目名】００１４
【補正方法】変更
【補正の内容】
【００１４】
この態様では、次の条件式（１）を満足することが好ましい。
(１)０．４＜｜ＴI／ＴII｜＜２．５
但し、
ＴI；無限遠からある有限撮影距離まで第１レンズ群を単独で光軸方向に移動させた場合に合焦に要する第１レンズ群の移動量、
ＴII；無限遠から前記有限撮影距離まで第２レンズ群を単独で光軸方向に移動させた場合に合焦に要する第２レンズ群の移動量、
である。
【手続補正３】
【補正対象書類名】明細書
【補正対象項目名】００１９
【補正方法】変更
【補正の内容】
【００１９】
この態様では、次の条件式（５）を満足することが好ましい。
(５)０．２＜｜ＴA ／ＴI ｜＜１．５
但し、
ＴA；無限遠からある有限撮影距離までの合焦に要する全系の移動量、
ＴI；無限遠から前記有限撮影距離まで第１レンズ群を単独で光軸方向に移動させた場合に合焦に要する第１レンズ群の移動量、である。
この望遠レンズの合焦装置は更に、上述した条件式(２)から(４)（新条件式番号（６）から（８））を満足することが好ましい。
【手続補正４】
【補正対象書類名】明細書
【補正対象項目名】００２１
【補正方法】変更
【補正の内容】
【００２１】
この態様では、次の条件式（９）を満足することが好ましい。
(９)０．２＜｜ＴA ／ＴII ｜＜１．５
但し、
ＴA；無限遠からある有限撮影距離までの合焦に要する全系の移動量、
ＴII；無限遠から前記有限撮影距離まで第２レンズ群を単独で光軸方向に移動させた場合に合焦に要する第２レンズ群の移動量、
である。
この望遠レンズの合焦装置は更に、上述した条件式（２）から(４)（新条件式番号（１０）から（１２））を満足することが好ましい。
【手続補正５】
【補正対象書類名】明細書
【補正対象項目名】００２３
【補正方法】変更
【補正の内容】
【００２３】
望遠レンズ系を物体側から順に第１レンズ群と第２レンズ群とで構成する場合、第１レンズ群と第２レンズ群はそれぞれ、正のレンズ群から構成することができ、このとき、次の条件式（１３）および（１４）を満足することが好ましい。
(１３)０．２＜｜ＴA ／ＴI ｜＜０．８
(１４)０．２＜｜ＴA ／ＴII ｜＜０．８
但し、
ＴA；無限遠からある有限撮影距離までの合焦に要する全系の移動量、
ＴI；無限遠からある有限撮影距離まで第１レンズ群を単独で光軸方向に移動させた場合に合焦に要する第１レンズ群の移動量、
ＴII；無限遠から前記有限撮影距離まで第２レンズ群を単独で光軸方向に移動させた場合に合焦に要する第２レンズ群の移動量、
である。
【手続補正６】
【補正対象書類名】明細書
【補正対象項目名】００２９
【補正方法】変更
【補正の内容】
【００２９】
条件式（１）は、合焦時の第１レンズ群と第２レンズ群の移動量を規定することで、オートフォーカスの精度と手動による合焦操作の操作性を最適化するためのものである。
条件式(１)の上限を超えると、第２レンズ群の移動量に対する焦点外れ量の変動が大きくなりすぎ、図１の構成ではモータ６４の僅かな回転によって焦点外れ量が大きく変動するため、オートフォーカス機構による合焦が困難になる。
また条件式(１)の下限を超えると、第１レンズ群の移動量に対する焦点外れ量の変動が大きくなりすぎ、図１の構成では合焦操作ハンドル５４の僅かな回転によって焦点外れ量が大きく変動するため、手動による合焦操作が困難になる。
【手続補正７】
【補正対象書類名】明細書
【補正対象項目名】００３８
【補正方法】変更
【補正の内容】
【００３８】
条件式(５)は、合焦時の全系と第１レンズ群の移動量を規定することで、オートフォーカスの精度と手動による合焦操作の操作性を最適化するための条件である。
条件式(５)の下限を超えると、全系の移動量に対する焦点外れ量の変動が大きくなりすぎ、図２の構成では合焦操作リング５４の僅かな回転によって焦点外れ量が大きく変動するため、手動による合焦操作が困難になる。
また条件式(５)の上限を超えると、第１レンズ群の移動量に対する焦点外れ量の変動が大きくなりすぎ、図２の構成ではモータ６４の僅かな回転によって焦点外れ量が大きく変動するため、オートフォーカス機構による合焦が困難になる。
【手続補正８】
【補正対象書類名】明細書
【補正対象項目名】００４５
【補正方法】変更
【補正の内容】
【００４５】
条件式(９)は、合焦時の全系と第２レンズ群の移動量を規定することで、オートフォーカスの精度と手動による合焦操作の操作性を最適化するための条件である。
条件式(９)の上限を超えると、第２レンズ群の移動量に対する焦点外れ量の変動が大きくなりすぎ、図３の構成ではモータ６４の僅かな回転によって焦点外れ量が大きく変動するため、オートフォーカス機構による合焦が困難になる。
また条件式(９)の下限を超えると、全系の移動量に対する焦点外れ量の変動が大きくなりすぎ、図３の構成では合焦操作リング５４の僅かな回転によって焦点外れ量が大きく変動するため、手動による合焦操作が困難になる。